(57)【特許請求の範囲】
【請求項１】
水平材の一端に固定された筒部材と、
前記筒部材に上下動可能に挿通し、途中位置には前記筒部材に挿通状態で前記筒部材の上端に当接するリング状のストッパが設けられ、前記ストッパより所定距離下位置には直径方向に貫通して両側に突出するピンが設けられた連結パイプとを有し、
前記連結パイプが下がって前記ストッパが前記筒部材の上端に当接する場合には、前記筒部材の下端より前記ピンが下位置にあって、前記筒部材には、前記連結パイプを上昇させた場合に前記ピンが挿通する下端開放の逆Ｊ字状の切欠きが形成され、前記連結パイプが上下２位置で前記筒部材に掛止し、
前記連結パイプには前記ストッパより上位置に該連結パイプに上方から被さる支柱パイプの第１の貫通孔に符合して、直径方向に貫通する第２の貫通孔が設けられ、しかも、前記連結パイプには前記第１、第２の貫通孔を挿通可能な第１、第２の爪部を有する掛止部材が設けられ、
しかも、前記第１、第２の爪部は外方向を向くようにスプリングで付勢され、更に、前記第１、第２の爪部の半径方向先側は同一円周方向に折り曲げられて、前記支柱パイプを所定方向に回転させた場合、前記第１、第２の爪部が前記第１の貫通孔から内側に引っ込むことを特徴とする仮設足場に使用するブラケット。
【請求項２】
請求項１記載の仮設足場に使用するブラケットにおいて、前記水平材の他端には楔部材が設けられ、前記連結パイプに被さる支柱パイプとは別の支柱パイプに、上下に距離Ｌを離して設けられた第１、第２の連結金具のいずれか一方に、前記楔部材が装着可能であることを特徴とする仮設足場に使用するブラケット。
【請求項３】
請求項２記載の仮設足場に使用するブラケットにおいて、前記連結パイプが前記筒部材に掛止する上下２位置の間隔は、前記距離Ｌに一致することを特徴とする仮設足場に使用するブラケット。
【発明の詳細な説明】
【技術分野】
【０００１】
本発明は、軒、庇等のような突出部を有する建物の外壁に沿って仮設足場を構築する際に用いられる仮設足場用のブラケットに関するものである。
【背景技術】
【０００２】
従来から作業用の仮設足場は、建物の周囲に沿って所定間隔おきに二列ずつ立設された支柱と、隣接する支柱の間に架設されたブラケットと、隣接するブラケットの間に架設された踏み板とを有し、仮設足場を構成する支柱は、通常金属パイプよりなる支柱パイプを直列に連結して構成されている。そして、支柱パイプは１８０度対向する位置に形成される平面視して角形の第１の連結金具と、この第１の連結金具とは９０度位相をずらして距離Ｌを離して上位置に設けられた第２の連結金具とを有している。
【０００３】
従来、この支柱パイプに連結する仮設足場に使用するブラケットとして、特許文献１に記載のものが提案されている。この仮設足場に使用するブラケットは、支柱パイプの周面に設けれた連結金具に装着されて、略水平方向に延びるように連結される棒状をなす水平材と、該水平材から上方へ延設され、その上方から別の支柱が外嵌されるパイプ状をなすほぞとを備え、該ほぞの周面上には外嵌された支柱を下方から支持するための筒状をなす位置調節用カラーを上下動可能に装着するとともに、該位置調節用カラーをほぞ上で上方及び下方へ移動させたときに上部位置及び下部位置で位置保持可能とするための位置保持手段を設け、水平材が固定される連結金具の上下位置に対応して位置調節用カラーを上部位置と下部位置とに切り換え可能に構成されている。
【先行技術文献】
【特許文献】
【０００４】
【特許文献１】特許第３７３３３０３号公報
【発明の概要】
【発明が解決しようとする課題】
【０００５】
しかしながら、特許文献１のブラケットでは支柱を上下２段階の高さで固定させるために、位置調節用カラーをほぞに上下の高さの異なる位置に保持するための長孔（ガイド孔）が必要である。この長孔は直線状ではなく両端が閉じているので、加工に手間がかかるという問題がある。
また、カラーを上位置及び下位置に保持するものは同一のガイドピンであるので、摩耗し易いという問題がある。
【０００６】
本発明はこのような従来の技術に存在する問題点に着目してなされたもので、製造が容易で、連結パイプが下位置にある場合は、筒部材で受けてピンの負荷を軽くした仮設足場に使用するブラケットを提供することを目的とする。
【課題を解決するための手段】
【０００７】
前記目的に沿う本発明に係る仮設足場に使用するブラケットは、水平材の一端に固定された筒部材と、
前記筒部材に上下動可能に挿通し、途中位置には前記筒部材に挿通状態で前記筒部材の上端に当接するリング状のストッパが設けられ、前記ストッパより所定距離下位置には直径方向に貫通して両側に突出するピンが設けられた連結パイプとを有し、
前記連結パイプが下がって前記ストッパが前記筒部材の上端に当接する場合には、前記筒部材の下端より前記ピンが下位置にあって、前記筒部材には、前記連結パイプを上昇させた場合に前記ピンが挿通する（直径方向に対向配置されている）下端開放の逆Ｊ字状の切欠きが形成され、前記連結パイプが上下２位置で前記筒部材に掛止し、
前記連結パイプには前記ストッパより上位置に該連結パイプに上方から被さる支柱パイプの第１の貫通孔に符合して、直径方向に貫通する第２の貫通孔が設けられ、しかも、前記連結パイプには前記第１、第２の貫通孔を挿通可能な第１、第２の爪部を有する掛止部材が設けられ、
しかも、前記第１、第２の爪部は外方向を向くようにスプリングで付勢され、更に、前記第１、第２の爪部の半径方向先側は同一円周方向に折り曲げられて、前記支柱パイプを所定方向に回転させた場合、前記第１、第２の爪部が前記第１の貫通孔から内側に引っ込む。
【０００８】
本発明に係る仮設足場に使用するブラケットにおいて、前記水平材の他端には楔部材が設けられ、前記連結パイプに被さる支柱パイプとは別の支柱パイプに、上下に距離Ｌを離して設けられた第１、第２の連結金具のいずれか一方に、前記楔部材が装着可能である。
【０００９】
本発明に係る仮設足場に使用するブラケットにおいて、前記連結パイプが前記筒部材に掛止する上下２位置の間隔は、前記距離Ｌに一致するのが好ましい。
【発明の効果】
【００１０】
本発明に係る仮設足場に使用するブラケットにおいては、連結パイプを上位置で止める機構は、連結パイプを貫通するピンと逆Ｊ字状の切欠きからなって、連結パイプを下位置で止める機構は、連結パイプに設けたリング状のストッパと筒部材の上端となるので、確実に連結パイプを筒部材に固定保持できる。
そして、逆Ｊ字状の切欠きは、下端が開放であるので、閉じている場合（ガイド孔）より加工が容易である。
また、連結パイプを下位置で止める場合は、連結パイプを自由に回転させることができ、連結パイプの上に連接する支柱パイプを自由に回転させることができる。
【図面の簡単な説明】
【００１１】
【図１】（Ａ）、（Ｂ）はそれぞれ本発明の一実施の形態に係る仮設足場に使用するブラケットの正面図である。
【図２】（Ａ）、（Ｂ）はそれぞれ本発明の一実施の形態に係る仮設足場に使用するブラケットの一部切欠き正面図である。
【図３】（Ａ）、（Ｂ）はそれぞれ本発明の一実施の形態に係る仮設足場に使用するブラケットの使用状態を示す説明図である。
【図４】同ブラケットに使用する掛止部材の正面図である。
【発明を実施するための形態】
【００１２】
続いて、添付した図面を参照しつつ、本発明を具体化した一実施の形態に係る仮設足場に使用するブラケット１０について説明する。
図１〜図４に示すように、本発明の一実施の形態に係る仮設足場に使用するブラケット１０は、全て鉄鋼又はステンレス鋼からなって、水平材１１の一端に固定された筒部材１２と、筒部材１２に上下動可能に挿通し、途中位置には筒部材１２に挿通状態で筒部材１２の上端に当接するリング状のストッパ１３が設けられ、ストッパ１３より上位置には上方から被さる支柱パイプ１４の第１の貫通孔１５に符合して、直径方向に貫通する第２の貫通孔１６が設けられ、ストッパ１３より所定距離Ｈだけ下位置には直径方向に貫通して両側に突出するピン１８が設けられた連結パイプ１９と、第１、第２の貫通孔１５、１６を挿通可能な掛止部材２０とを有し、筒部材１２の下側の１８０度位置には、ピン１８の両端が嵌入する逆Ｊ字状の切欠き２１、２２が形成されている。以下、これらについて詳しく説明する。
【００１３】
図１（Ａ）に示すように、パイプからなる水平材１１の他端には、楔部材２４が設けられ、既設の支柱パイプ２５の側部に設けられた断面角形のテーパー孔を有する第１の連結金具２６に楔部材２４が装着されている。なお、連結金具２６は支柱パイプ２５の１８０度位置に対向して設けられていると共に、支柱パイプ２５は、その上部（又は下部）に距離Ｌを離して、かつ第１の連結金具２６に対してそれぞれ９０度位置に第２の連結金具２７を備えている。図１において、２８は頬杖、２９は断面円弧状の当て板、３０は垂直補強材を示す。
【００１４】
図１、図３（Ａ）、（Ｂ）に示すように、水平材１１の一端に取付けられている筒部材１２は、水平材１１と同様なパイプ（例えば、直径が４８．６ｍｍ）からなって、長さＨは例えば直径の２．５〜５倍の長さとなっている。この筒部材１２には下端開放の逆Ｊ字状の切欠き２１、２２があって、連結パイプ１９の下側に連結パイプ１９を貫通して設けられたピン１８が僅少の隙間を有して嵌入できる構造となっている。なお、ピン１８の全長は、筒部材１２の直径より例えば２〜１０ｍｍ程度大きくなって、均等に連結パイプ１９の径方向両端から突出固定されている。なお、ストッパ１３の下端からピン１８の中心までの距離Ｈ、ピン１８の直径ｄ、筒部材１２の長さＰとすると、Ｈ−Ｌ−ｄ／２＞Ｐとなっている。
【００１５】
図２に示すように、逆Ｊ字状の切欠き２１、２２は、筒部材１２の中心を基準に点対称となって、下端開放の垂直切欠き部３２と垂直切欠き部３２の上部に一端が連結された水平切欠き部３３と、水平切欠き部３３の他端に上端が連結される掛止切欠き部３４とを有し、垂直切欠き部３２の下端から嵌入したピン１８が掛止切欠き部３４に掛止し、連結パイプ１９が筒部材１２に対して上位置に保持される構造となっている。
【００１６】
そして、図１（Ａ）、（Ｂ）に示すように、このピン１８を逆Ｊ字状の切欠き２１、２２の下端から出すと、連結パイプ１９が下がり、連結パイプ１９の中間位置に設けられているリング状のストッパ１３が筒部材１２の上端に当接し、ピン１８が筒部材１２の下端より下位置にあって、連結パイプ１９が筒部材１２に対して下位置を保った状態で、保持される。従って、連結パイプ１９の上位置と下位置との距離Ｌ（連結金具２６、２７の間隔に等しい）は、ピン１８が切欠き２１、２２の掛止切欠き部３４にある位置（即ち、上位置）にあるストッパ１３の高さと、筒部材１２との上端によって決定される。なお、ピン１８の直径は例えば６〜１０ｍｍ程度がよい。また、ストッパ１３は連結パイプ１９に溶接固定されている。
【００１７】
図２（Ａ）、（Ｂ）に示すように、連結パイプ１９の上端は縮径部３６が設けられ、この縮径部３６とストッパ１３との中間位置で、例えば、ストッパ１３の上端から６０〜１２０ｍｍの位置には、径方向に貫通する直径が例えば７〜１１ｍｍの第２の貫通孔１６が設けられている。そして、この連結パイプ１９に上から被さる支柱パイプ１４にも、径方向に貫通する第１の貫通孔１５が設けられている。この第１の貫通孔１５の支柱パイプ１４の下端からの距離は、ストッパ１３の上端から第２の貫通孔１６までの位置より１〜６ｍｍの範囲で短くなって、第１、第２の貫通孔１５、１６を符合させた場合には、図２（Ｂ）に示すように支柱パイプ１４の下端とストッパ１３との間に１〜６ｍｍの隙間Ｃが形成されている。
【００１８】
図４に示すように、掛止部材２０は、中間部をピン（ボルト、ナットを使用する場合もある）３８でＸ字状に連結される第１、第２の金属片３９、４０を有し、第１、第２の金属片３９、４０の下端には第１、第２の貫通孔１５、１６に挿通する爪部４１、４２を備え、かつ爪部４１、４２が互いに外方に開くように付勢する、ピン３８に装着されたスプリング４３を備えている。この第１、第２の金属片３９、４０の上端部には鉤部４４、４５が設けられて、連結パイプ１９の上端に形成される縮径部３６に掛止している。なお、対向する鉤部４４、４５の外側幅は支柱パイプ１４の内径より小さくなっている。
【００１９】
第１、第２の貫通孔１５、１６に挿通する爪部４１、４２の半径方向先側は、同一円周方向に押し曲げられて、第１の貫通孔１５から突出した爪部４１、４２を第２の貫通孔１６側に押し込んで、支柱パイプ１４を回転させた場合、爪部４１、４２が第１の貫通孔１５から内側に引っ込むように構成されている。従って、爪部４１、４２の曲げ位置は、第２の貫通孔１６の出口近傍で、約２０〜５０度同一円周方向に曲げられているのがよい。なお、爪部４１、４２の下側も多少の面取りが形成されているのが好ましい。
【００２０】
従って、この仮設足場に使用するブラケット１０を使用する場合には、予め掛止部材２０を連結パイプ１９の上端に図２（Ａ）に示すように入れておく。この状態で、水平材１１の他端に設けられている楔部材２４を支柱パイプ２５の所定の連結金具２６（又は２７）に入れる。これによって、この仮設足場に使用するブラケット１０は、支柱パイプ２５に仮固定される。
【００２１】
次に、連結パイプ１９を筒部材１２に対して図１（Ａ）に示すように上位置、又は図１（Ｂ）に示すように下位置に装着するのかを決定する。なお、連結パイプ１９を上位置に装着する場合は、ピン１８を逆Ｊ字状の切欠き２１、２２内にいれて、ピン１８を掛止切欠き部３４で止め、連結パイプ１９を筒部材の下位置に装着する場合には、ピン１８を切欠き２１、２２から外して、ストッパ１３を筒部材１２の上端に載せる。
この後、支柱パイプ１４を連結パイプ１９の上部に装着し、掛止部材２０の爪部４１、４２を、第１、第２の貫通孔１５、１６に挿通して止める。
【００２２】
以上の状態で、仮設足場を組み立てる。途中で連結パイプ１９を昇降することもできる。支柱パイプ１４を連結パイプ１９から外す場合は、第１、第２の貫通孔１５、１６に嵌入している爪部４１、４２を半径方向内側に押して、支柱パイプ１４を回しながら、又はそのまま引き上げることによって、支柱パイプ１４の分解が可能となる。
【００２３】
前記実施の形態においては、本発明の要旨を変更しない範囲で、各部品の形状変更及び寸法変更は可能である。
【符号の説明】
【００２４】
１０：仮設足場に使用するブラケット、１１：水平材、１２：筒部材、１３：ストッパ、１４：支柱パイプ、１５：第１の貫通孔、１６：第２の貫通孔、１８：ピン、１９：連結パイプ、２０：掛止部材、２１、２２：切欠き、２４：楔部材、２５：支柱パイプ、２６：第１の連結金具、２７：第２の連結金具、２８：頬杖、２９：当て板、３０：垂直補強材、３２：垂直切欠き部、３３：水平切欠き部、３４：掛止切欠き部、３６：縮径部、３８：ピン、３９：第１の金属片、４０：第２の金属片、４１、４２：爪部、４３：スプリング、４４、４５：鉤部
【図１】
0005593120.tif 000002
【図２】
0005593120.tif 000003
【図３】
0005593120.tif 000004
【図４】
0005593120.tif 000005